(57)【要約】      （修正有）【課題】住環境設備等での漂白洗浄性能を向上させた酸素系漂白洗浄剤組成物の提供。【解決手段】式（Ａ１）及び式（Ａ２）で表される化合物から選択される1以上の化合物と有機過酸前駆体及び有機過酸からなる群と過酸化水素等とを含む酸化性組成物。2014198842.tif 000024【選択図】なし【特許請求の範囲】
【請求項１】
次の（Ａ）成分、（Ｂ）成分、及び（Ｃ）成分を含有する酸化性組成物。
（Ａ）成分：下記一般式（Ａ１）で表される化合物及び下記一般式（Ａ２）で表される化合物からなる群から選択される１以上の化合物
（Ｂ）成分：有機過酸前駆体及び有機過酸からなる群から選択される１以上の化合物
（Ｃ）成分：過酸化水素及び水中で過酸化水素を生成する過酸化物からなる群から選択される１以上の化合物
【化１】
2014198842.tif 000019
［式（Ａ１）、（Ａ２）中、Ｒ1、Ｒ2、Ｒ4、Ｒ5は、それぞれ独立に、水素原子、水酸基、カルボキシル基、及び置換基を有していてもよい炭化水素基からなる群から選択される原子又は基を示す。ｊは０又は１以上、１０以下の整数を示す。ｋは０又は１以上、８以下の整数を示す。Ｒ3、Ｒ6は、それぞれ独立に、水酸基、カルボキシル基、及び置換基を有していてもよい炭化水素基からなる群から選択される原子又は基を示す。Ｒ3、Ｒ6は環状アミン上に複数存在してもよく、複数のＲ3、Ｒ6はそれぞれ同一であっても異なってもよい。Ｒ1〜Ｒ6は、共同して隣接する窒素原子又は炭素原子とともに環構造を形成してもよい。また、Ｒ1〜Ｒ6は、それぞれ独立に、オキシ基及びカルボニル基から選ばれる基を１以上含むことが出来る。］
【請求項２】
（Ａ）成分を０．０１質量％以上、１０質量％以下含有し、（Ａ）成分に対する（Ｂ）成分の質量比［（Ｂ）／（Ａ）］が０．１以上、５０以下であり、（Ａ）成分に対する（Ｃ）成分の質量比［（Ｃ）／（Ａ）］が０．１以上、５０以下である、請求項１記載の酸化性組成物。
【請求項３】
更に、（Ｄ）成分として、アルカリ金属の水酸化物、アルカリ金属の炭酸塩、アルカリ土類金属の水酸化物、アルカリ土類金属の炭酸塩、モノエタノールアミン、ジエタノールアミン及びトリエタノールアミンからなる群から選択される１以上のアルカリ剤を含有する、請求項１又は２記載の酸化性組成物。
【請求項４】
（Ａ）成分が、下記一般式（Ａ１１）で表される化合物及び下記一般式（Ａ２１）で表される化合物からなる群から選択される１以上の化合物である、請求項１〜３の何れか１項記載の酸化性組成物。
【化２】
2014198842.tif 000020
［式（Ａ１１）、（Ａ２１）中、
Ｒ1a、Ｒ2a、Ｒ4a、Ｒ5aは、それぞれ独立に、水素原子、水酸基、ハロゲン原子、置換基を有していてもよい炭素数１以上、２４以下の鎖状炭化水素基、置換基を有していてもよい炭素数３以上、１８以下の環状炭化水素基及び下記一般式（Ａ３）で表される基からなる群から選択される原子又は基を示す。
ｊ’は０又は１以上、１０以下の整数を示す。
ｋ’は０又は１以上、８以下の整数を示す。
Ｒ3a、Ｒ6aは、それぞれ独立に、水酸基、カルボキシル基、炭素数２以上、１３以下のアシルオキシ基、炭素数２以上、１３以下のアルコキシカルボニル基、炭素数１以上、１２以下のアルコキシ基、置換基を有していてもよい炭素数１以上、２４以下の鎖状炭化水素基、置換基を有していてもよい炭素数３以上、１８以下の環状炭化水素基及び下記一般式（Ａ３）で表される基からなる群から選択される基を示す。Ｒ3a、Ｒ6aは環状アミン上に複数存在してもよく、複数のＲ3a、Ｒ6aはそれぞれ同一であっても異なってもよい。］
−［（Ｇ）L／（Ａ）M］−Ｒ7      （Ａ３）
［式（Ａ３）中、
Ｇは、下記式（Ａ４）で表される基（以下、基（Ａ４）という）及び式（Ａ５）で表される基（以下、基（Ａ５）という）からなる群から選択される１以上の基を示す。基（Ａ４）及び基（Ａ５）の酸素原子は、それぞれ独立に、水素原子と結合しているか、又は他の基（Ａ４）もしくは基（Ａ５）の炭素原子もしくはＡの炭素原子と結合しているか、又はＲ7と結合している。
Ａは、下記式（Ａ６）で表される基（以下、基（Ａ６）という）を示す。
Ｒ7は水素原子、及び炭素数１以上、３０以下の炭化水素基からなる群から選択される原子又は基を示す。
ＬとＭの合計は１以上であり、
Ｌは、０以上、２０以下の数を示す。
Ｌが１以上のとき、Ｍは、０以上、２０以下の数を示し、Ｌが０のとき、Ｍは、２以上、２０以下の数を示す。
なお、“／”は、ＧとＡの結合順序を問わないことを表す。］
【化３】
2014198842.tif 000021
［式（Ａ６）中、Ｒ8、Ｒ9、Ｒ10、Ｒ11は、それぞれ独立に水素原子、又は炭素数１以上、１８以下の炭化水素基を示し、Ｒ8、Ｒ9、Ｒ10、Ｒ11の炭素数の合計は１８以下となる。基（Ａ６）の酸素原子は、基（Ａ４）もしくは基（Ａ５）の炭素原子と結合しているか、又は他の基（Ａ６）の炭素原子と結合しているか、又はＲ7と結合している。］
【請求項５】
更に水を含有し、形態が液体である、請求項１〜４の何れか１項記載の酸化性組成物。
【請求項６】
（Ｂ）成分が、下記一般式（Ｂ１）で表される有機過酸前駆体である、請求項１〜５の何れか１項記載の酸化性組成物。
【化４】
2014198842.tif 000022
［式中、Ｒ1bは炭素数５以上、１９以下のアルキル基又はアルケニル基、Ｚは、ＳＯ3Ｍ又はＣＯＯＭ、Ｍは陽イオンを示す。］
【請求項７】
漂白用又は漂白洗浄用である請求項１〜６の何れか１項記載の酸化性組成物。
【請求項８】
硬質表面用である請求項７記載の酸化性組成物。
【請求項９】
請求項１〜８の何れか１項記載の酸化性組成物をスプレー容器に充填してなる漂白洗浄剤物品。
【請求項１０】
次の（Ａ）成分、（Ｂ）成分、（Ｃ）成分及び水から選択される成分を含む剤の組み合わせからなり、（Ａ）成分と（Ｃ）成分が別の剤に配合されている、酸化性組成物用多剤型物品。
（Ａ）成分：下記一般式（Ａ１）で表される化合物及び下記一般式（Ａ２）で表される化合物からなる群から選択される１以上の化合物
（Ｂ）成分：有機過酸前駆体及び有機過酸からなる群から選択される１以上の化合物
（Ｃ）成分：過酸化水素及び水中で過酸化水素を生成する過酸化物からなる群から選択される１以上の化合物
【化５】
2014198842.tif 000023
［式（Ａ１）、（Ａ２）中、Ｒ1、Ｒ2、Ｒ4、Ｒ5は、それぞれ独立に、水素原子、水酸基、カルボキシル基、及び置換基を有していてもよい炭化水素基からなる群から選択される原子又は基を示す。ｊは０又は１以上、１０以下の整数を示す。ｋは０又は１以上、８以下の整数を示す。Ｒ3、Ｒ6は、それぞれ独立に、水酸基、カルボキシル基、及び置換基を有していてもよい炭化水素基からなる群から選択される原子又は基を示す。Ｒ3、Ｒ6は環状アミン上に複数存在してもよく、複数のＲ3、Ｒ6はそれぞれ同一であっても異なってもよい。Ｒ1〜Ｒ6は、共同して隣接する窒素原子又は炭素原子とともに環構造を形成してもよい。また、Ｒ1〜Ｒ6は、それぞれ独立に、オキシ基及びカルボニル基から選ばれる基を１以上含むことが出来る。］
【請求項１１】
（Ａ）成分及び水を含有する第１の液体組成物からなる第１の剤と、（Ｂ）成分、（Ｃ）成分及び水を含有する第２の液体組成物からなる第２の剤との組み合わせを含み、前記第１の剤と第２の剤とを分離した状態で保持し、第１の剤と第２の剤が混合されて、（Ａ）成分、（Ｂ）成分、（Ｃ）成分、及び水を含有する酸化性組成物が調製される、請求項１０記載の酸化性組成物用多剤型物品。
【発明の詳細な説明】
【技術分野】
【０００１】
本発明は、酸化性組成物に関する。詳しくは、住環境設備等に使用する漂白剤組成物や漂白洗浄剤組成物として好適な酸化性組成物に関する。
【背景技術】
【０００２】
酸化性組成物は、他の物質に対して酸化作用を有する化合物を含む組成物である。この酸化作用は、有色物質に対しては、脱色、漂白、変色などの現象として認識され得るものである。酸化性組成物は、風呂・トイレ・台所等の硬質表面の漂白、カビ取り、衣類の漂白、汚れ・匂い原因物質の分解、除菌、パルプの漂白、繊維の精練などの様々な用途に用いられている。すなわち、硬質表面への適用として、硬質表面の脱色、漂白などの色素の変質に酸化性組成物を用いることが知られている。
【０００３】
生活環境において発生する様々な汚れに対し、外観上の美観維持、衛生などの目的から、洗浄、漂白、除菌などの対処が行なわれている。なかでも、トイレ、浴室、風呂釜、配水管などの洗浄し難い場所の汚れは、界面活性剤などを主成分とした洗浄剤のみでは除去困難であり、しばしば漂白剤が使用されている。一例を挙げると、浴室の浴槽、タイル目地、ドア枠、窓枠、コントローラや、台所の三角コーナーなどの黒ずみ汚れはＣｌａｄｏｓｐｏｒｉｕｍ属細菌等のカビが生産する色素が原因であり、クレンザーや界面活性剤だけでは除去し難いので、次亜塩素酸ナトリウム水溶液の漂白作用により除去する方法が一般に行われている。
【０００４】
しかしながら、次亜塩素酸ナトリウムを使用したカビ取り剤は、漂白及び洗浄性能は優れているが目や皮膚に対する刺激が強く、特有の塩素系の臭いを有し狭い浴室などで使用する場合には注意が必要であり、また、誤って酸性の洗浄剤と混合すると有毒ガスを発生するという問題がある。
【０００５】
このため、このような課題の発生しない酸化性組成物として、酸素系漂白剤を使用したカビ取り剤の提案がされている。例えば、特許文献１には、過酸化水素、アルカリ剤及び漂白活性化剤を併用した硬表面用漂白剤組成物が開示されている。
【０００６】
また、特許文献２には、水に溶解して過酸化水素を発生する過酸化物、キレート剤、銅化合物及びバインダー化合物とからなる高い殺菌・除菌効果を発揮する組成物が開示されている。
【０００７】
また、特許文献３、４には、特定のピロリジン誘導体や特定のピペリジン誘導体により、過酸化水素を酸化剤として用いる漂白剤の漂白効果を向上できることが記載されているが、更なる性能向上が望まれる。
【０００８】
また、特許文献５には、ペルオキシ化合物と、特定の構造を有する金属錯体を用いたカビ取り剤組成物が開示されている。
【先行技術文献】
【特許文献】
【０００９】
【特許文献１】特開平３−２２０２９８号公報
【特許文献２】特開２００９−１５５２９２号公報
【特許文献３】特開２００７−２４６４５５号公報
【特許文献４】特開２００７−２４６４５６号公報
【特許文献５】特開平１０−２４５３１０号公報
【発明の概要】
【発明が解決しようとする課題】
【００１０】
しかしながら、カビ汚れは除去困難な強固な汚れであり、従来提案されている酸素系漂白剤を使用したカビ取り剤は、更なる性能向上が望まれる。本発明は、カビ汚れなどの除去困難な汚れに対する漂白性能や漂白洗浄性能を向上させた酸素系漂白剤組成物ないし酸素系漂白洗浄剤組成物として好適な酸化性組成物を提供するものである。
【課題を解決するための手段】
【００１１】
本発明は、次の（Ａ）成分、（Ｂ）成分、及び（Ｃ）成分を含有する酸化性組成物に関する。
（Ａ）成分：下記一般式（Ａ１）で表される化合物及び下記一般式（Ａ２）で表される化合物からなる群から選択される１以上の化合物
（Ｂ）成分：有機過酸前駆体及び有機過酸からなる群から選択される１以上の化合物
（Ｃ）成分：過酸化水素及び水中で過酸化水素を生成する過酸化物からなる群から選択される１以上の化合物
【００１２】
【化１】
2014198842.tif 000002
【００１３】
［式（Ａ１）、（Ａ２）中、Ｒ1、Ｒ2、Ｒ4、Ｒ5は、それぞれ独立に、水素原子、水酸基、カルボキシル基、及び置換基を有していてもよい炭化水素基からなる群から選択される原子又は基を示す。ｊは０又は１以上、１０以下の整数を示す。ｋは０又は１以上、８以下の整数を示す。Ｒ3、Ｒ6は、それぞれ独立に、水酸基、カルボキシル基、及び置換基を有していてもよい炭化水素基からなる群から選択される原子又は基を示す。Ｒ3、Ｒ6は環状アミン上に複数存在してもよく、複数のＲ3、Ｒ6はそれぞれ同一であっても異なってもよい。Ｒ1〜Ｒ6は、共同して隣接する窒素原子又は炭素原子とともに環構造を形成してもよい。また、Ｒ1〜Ｒ6は、それぞれ独立に、オキシ基（−Ｏ−）及びカルボニル基（−ＣＯ−）から選ばれる基を１以上含むことが出来る。］
【００１４】
また、本発明は、上記本発明の酸化性組成物をスプレー容器に充填してなる漂白洗浄剤物品に関する。
【００１５】
また、本発明は、次の（Ａ）成分、（Ｂ）成分、（Ｃ）成分及び水から選択される成分を含む剤の組み合わせからなり、（Ａ）成分と（Ｃ）成分が別の剤に配合されている、酸化性組成物用多剤型物品に関する。
（Ａ）成分：下記一般式（Ａ１）で表される化合物及び下記一般式（Ａ２）で表される化合物からなる群から選択される１以上の化合物
（Ｂ）成分：有機過酸前駆体及び有機過酸からなる群から選択される１以上の化合物
（Ｃ）成分：過酸化水素及び水中で過酸化水素を生成する過酸化物からなる群から選択される１以上の化合物
【００１６】
【化２】
2014198842.tif 000003
【００１７】
［式（Ａ１）、（Ａ２）中、Ｒ1、Ｒ2、Ｒ4、Ｒ5は、それぞれ独立に、水素原子、水酸基、カルボキシル基、及び置換基を有していてもよい炭化水素基からなる群から選択される原子又は基を示す。ｊは０又は１以上、１０以下の整数を示す。ｋは０又は１以上、８以下の整数を示す。Ｒ3、Ｒ6は、それぞれ独立に、水酸基、カルボキシル基、及び置換基を有していてもよい炭化水素基からなる群から選択される原子又は基を示す。Ｒ3、Ｒ6は環状アミン上に複数存在してもよく、複数のＲ3、Ｒ6はそれぞれ同一であっても異なってもよい。Ｒ1〜Ｒ6は、共同して隣接する窒素原子又は炭素原子とともに環構造を形成してもよい。また、Ｒ1〜Ｒ6は、それぞれ独立に、オキシ基（−Ｏ−）及びカルボニル基（−ＣＯ−）から選ばれる基を１以上含むことが出来る。］
【発明の効果】
【００１８】
本発明によれば、カビ汚れなどの除去困難な対象汚れに対して、優れた漂白性能を発現する、漂白剤組成物や漂白洗浄剤組成物として好適な酸化性組成物が提供される。
【発明を実施するための形態】
【００１９】
＜（Ａ）成分＞
（Ａ）成分は、前記一般式（Ａ１）で表される化合物及び前記一般式（Ａ２）で表される化合物からなる群から選択される１以上の化合物である。
【００２０】
（Ａ）成分は、下記一般式（Ａ１１）で表される化合物及び下記一般式（Ａ２１）で表される化合物からなる群から選択される１以上の化合物が、漂白性能向上の観点から、好ましい。
【００２１】
【化３】
2014198842.tif 000004
【００２２】
［式（Ａ１１）、（Ａ２１）中、
Ｒ1a、Ｒ2a、Ｒ4a、Ｒ5aは、それぞれ独立に、水素原子、水酸基、ハロゲン原子、ベンジル基、置換基を有していてもよい炭素数１以上、２４以下の鎖状炭化水素基、置換基を有していてもよい炭素数３以上、１８以下の環状炭化水素基及び下記一般式（Ａ３）で表される基からなる群から選択される原子又は基を示す。
ｊ’は０又は１以上、１０以下の整数を示す。
ｋ’は０又は１以上、８以下の整数を示す。
Ｒ3a、Ｒ6aは、それぞれ独立に、水酸基、カルボキシル基、炭素数２以上、１３以下のアシルオキシ基、炭素数２以上、１３以下のアルコキシカルボニル基、炭素数１以上、１２以下のアルコキシ基、置換基を有していてもよい炭素数１以上、２４以下の鎖状炭化水素基、置換基を有していてもよい炭素数３以上、１８以下の環状炭化水素基及び下記一般式（Ａ３）で表される基からなる群から選択される基を示す。Ｒ3a、Ｒ6aは環状アミン上に複数存在してもよく、複数のＲ3a、Ｒ6aはそれぞれ同一であっても異なってもよい。］
−［（Ｇ）L／（Ａ）M］−Ｒ7      （Ａ３）
［式（Ａ３）中、
Ｇは、下記式（Ａ４）で表される基（以下、基（Ａ４）という）及び式（Ａ５）で表される基（以下、基（Ａ５）という）からなる群から選択される１以上の基を示す。基（Ａ４）及び基（Ａ５）の酸素原子は、それぞれ独立に、水素原子と結合しているか、又は他の基（Ａ４）もしくは基（Ａ５）の炭素原子もしくはＡの炭素原子と結合しているか、又はＲ7と結合している。
Ａは、下記式（Ａ６）で表される基（以下、基（Ａ６）という）を示す。
Ｒ7は水素原子、及び炭素数１以上、３０以下の炭化水素基からなる群から選択される原子又は基を示す。
ＬとＭの合計は１以上であり、
Ｌは、０以上、２０以下の数を示す。
Ｌが１以上のとき、Ｍは、０以上、２０以下の数を示し、Ｌが０のとき、Ｍは、２以上、２０以下の数を示す。
なお、“／”は、ＧとＡの結合順序を問わないことを表す。］
【００２３】
【化４】
2014198842.tif 000005
【００２４】
［式（Ａ６）中、Ｒ8、Ｒ9、Ｒ10、Ｒ11は、それぞれ独立に水素原子、又は炭素数１以上、１８以下の炭化水素基を示し、Ｒ8、Ｒ9、Ｒ10、Ｒ11の炭素数の合計は１８以下となる。基（Ａ６）の酸素原子は、基（Ａ４）もしくは基（Ａ５）の炭素原子と結合しているか、又は他の基（Ａ６）の炭素原子と結合しているか、又はＲ7と結合している。］
【００２５】
一般式（Ａ１１）中、Ｒ1a、Ｒ2aは、漂白性能向上の点から、それぞれ独立に、水素原子、置換基を有していてもよい炭素数１以上、２４以下の鎖状炭化水素基、置換基を有していてもよい炭素数３以上、１８以下の環状炭化水素基及び前記一般式（Ａ３）で表される基からなる群から選択される原子又は基が好ましい。更には、水素原子、置換基を有していてもよい炭素数１以上、２４以下の鎖状炭化水素基、及び前記一般式（Ａ３）で表される基からなる群から選択される原子又は基が好ましい。更には、水素原子、及び前記一般式（Ａ３）で表される基からなる群から選択される原子又は基が好ましい。更には、水素原子、及びＲ7が炭素数１０以上の鎖状炭化水素基である一般式（Ａ３）で表される基からなる群から選択される原子又は基が最も好ましい。Ｒ7は、鎖状炭化水素基であることが好ましい。また、Ｒ7は、炭素数が３以上であることが好ましく、５以上が更に好ましく、７以上が更に好ましく、１０以上が最も好ましく、そして、３０以下が好ましく、更には２０以下、更には１５以下であることが最も好ましい。Ｒ1a、Ｒ2aは、同一であっても、異なっても良いが、同一であることが好ましい。
【００２６】
一般式（Ａ１１）中のＲ1a、Ｒ2aのうち、置換基を有していてもよい炭素数１以上、２４以下の鎖状炭化水素基としては、直鎖の炭化水素基、分岐鎖の炭化水素基が挙げられる。鎖状炭化水素基は、アルキル基、アルケニル基が挙げられる。また、鎖状炭化水素基として、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、ｎ−オクチル基、ｎ−デシル基、及びｎ−ドデシル基、２−エチルヘキシル基から選ばれる１種以上の基が挙げられる。
【００２７】
Ｒ1a、Ｒ2aにおいて、置換基を有していてもよい鎖状炭化水素基の炭素数は、１以上、好ましくは２以上、そして、好ましくは２０以下、更に１６以下、更に１２以下、更に６以下、更に４以下である。この炭素数は、置換基を除いた部分の炭素数であってよい。なお、（Ａ）成分の各化合物において、置換基を有していてもよい基の炭素数は、置換基を除いた部分の炭素数がそれぞれの好ましい範囲にあってもよい。
【００２８】
また、一般式（Ａ１１）中のＲ1a、Ｒ2aのうち、環状炭化水素基としては、フェニル基、シクロヘキシル基、及びシクロペンチル基から選ばれる１種以上の基が挙げられる。Ｒ1aにおいて、置換基を有していてもよい炭素数３以上、１８以下の環状炭化水素基の炭素数は、好ましくは５以上、更に６以上、そして、１５以下、更に１２以下、更に１０以下である。
【００２９】
これら鎖状炭化水素基及び環状炭化水素基の何れも、飽和又は不飽和であってよい。これら鎖状炭化水素基及び環状炭化水素基が有し得る置換基としては、水酸基、炭素数１以上、１２以下のアルキル基が１個以上置換してもよいアミノ基及び炭素数１以上、６以下のアルコキシ基からなる群から選択される１以上の基が挙げられる。置換基を有する炭化水素基としては、２−ヒドロキシエチル基、３−ヒドロキシプロピル基、２−メトキシエチル基、３−メトキシプロピル基、２−（ジメチルアミノ）エチル基、３−（ジメチルアミノ）プロピル基等が挙げられる。
【００３０】
一般式（Ａ２１）中、Ｒ4a、Ｒ5aは、漂白性能向上の点からそれぞれ独立に、水素原子、置換基を有していてもよい炭素数１以上、２４以下の鎖状炭化水素基、置換基を有していてもよい炭素数３以上、１８以下の環状炭化水素基及び前記一般式（Ａ３）で表される基からなる群から選択される原子又は基が好ましい。更には、置換基を有していてもよい炭素数１以上、２４以下の鎖状炭化水素基、及び前記一般式（Ａ３）で表される基からなる群から選択される原子又は基が好ましい。更には、前記一般式（Ａ３）で表される基からなる群から選択される原子又は基が好ましい。更には、Ｒ7が炭素数１０以上の鎖状炭化水素基である一般式（Ａ３）で表される基からなる群から選択される原子又は基が最も好ましい。Ｒ7は、鎖状炭化水素基であることが好ましく、分岐鎖を有する鎖状炭化水素基であることが更に好ましい。また、Ｒ7は、炭素数が３以上であることが好ましく、５以上が更に好ましく、７以上が更に好ましく、８以上が更に好ましく、９以上が更に好ましく、１０以上が最も好ましく、そして、３０以下が好ましく、更には２０以下、更には１５以下であることが最も好ましい。Ｒ4a、Ｒ5aは、同一であっても、異なっても良いが、同一であることが好ましい。なお、Ｒ4a、Ｒ5aのうち、置換基を有していてもよい炭素数１以上、２４以下の鎖状炭化水素基と、置換基を有していてもよい炭素数３以上、１８以下の環状炭化水素基の具体例及び好ましい態様は、それぞれ独立に、Ｒ1a、Ｒ2aで示したものから選択できる。
【００３１】
一般式（Ａ１１）の化合物又は一般式（Ａ２１）の化合物は、Ｒ1a及びＲ2aの少なくとも一方、好ましくは両方が、また、Ｒ4a、Ｒ5aの少なくとも一方、好ましくは両方が、前記一般式（Ａ３）で表される基であることができる。
【００３２】
一般式（Ａ３）中、Ｒ7は、水素原子、炭素数１以上、２４以下の鎖状炭化水素基及び炭素数３以上、１２以下の環状炭化水素基からなる群から選択される原子又は基であることが好ましい。また、一般式（Ａ３）で表される基において、ＬとＭの合計は１以上であり、そして、好ましくは２０以下、更に１０以下、更に５以下、更に３以下、更に２以下である。また、Ｌは、０以上、好ましくは１以上、そして、２０以下、好ましくは１０以下、更に５以下、更に３以下、更に２以下の数を示す。また、Ｌが１以上のとき、Ｍは、０以上、そして、２０以下、好ましくは１０以下、更に５以下、更に３以下、更に２以下の数を示し、Ｍが０であることが最も好ましい。Ｌが０のとき、Ｍは、２以上、好ましくは３以上、そして、２０以下、好ましくは１０以下、更に５以下の数を示す。
【００３３】
一般式（Ａ３）のＲ7の炭化水素基としては、炭素数１以上、２４以下の鎖状炭化水素基及び炭素数３以上、１２以下の環状炭化水素基を挙げることができる。それらは、それぞれ独立に、Ｒ1a等として挙げたものから選定できる。Ｒ7は水素原子又は炭素数３以上、３０以下の鎖状炭化水素基が好ましい。
【００３４】
一般式（Ａ１１）において、ｊ’は、０又は１以上、１０以下の整数であり、０又は１以上、５以下の整数が好ましく、０、１、又は２がより好ましく、０又は１が更に好ましく、０がより更に好ましい。
【００３５】
一般式（Ａ２１）において、ｋ’は、０又は１以上、８以下の整数であり、０又は１が好ましく、０がより好ましい。
【００３６】
一般式（Ａ１１）の化合物について、Ｒ3aは、式（Ａ１１）の環状アミンの炭素原子に結合し得る置換基を示す。一般式（Ａ２１）の化合物について、Ｒ6aは、式（Ａ２１）の環状アミンの炭素原子に結合し得る置換基を示す。Ｒ3a、Ｒ6aは環状アミン上に複数存在してもよく、複数のＲ3a、Ｒ6aはそれぞれ同一であっても異なってもよい。Ｒ3a、Ｒ6aは、それぞれ独立に、水酸基、カルボキシル基、炭素数２以上、１３以下のアシルオキシ基、炭素数２以上、１３以下のアルコキシカルボニル基、炭素数１以上、１２以下のアルコキシ基、置換基を有していてもよい炭素数１以上、２４以下の鎖状炭化水素基、置換基を有していてもよい炭素数３以上、１８以下の環状炭化水素基及び前記一般式（Ａ３）で表される基からなる群から選択される基を示す。
【００３７】
Ｒ3a、Ｒ6aのうち、置換基を有していてもよい炭素数１以上、２４以下の鎖状炭化水素基と、置換基を有していてもよい炭素数３以上、１８以下の環状炭化水素基の具体例及び好ましい態様は、それぞれ独立に、Ｒ1a、Ｒ2aで示したものから選択できる。
【００３８】
一般式（Ａ１１）中、Ｒ3aは、置換基を有していてもよい炭素数１以上、２４以下の鎖状炭化水素基が好ましく、メチル基がより好ましい。
【００３９】
一般式（Ａ２１）中、Ｒ6aは、置換基を有していてもよい炭素数１以上、２４以下の鎖状炭化水素基が好ましく、メチル基がより好ましい。
【００４０】
一般式（Ａ１１）の化合物のＲ3a又は一般式（Ａ２１）の化合物のＲ6aとして、それぞれ独立に、前記一般式（Ａ３）で表される基を選択することができる。Ｒ3a、Ｒ6aについての一般式（Ａ３）で表される基の好ましい態様は、Ｒ1a等として説明したものから選定できる。
【００４１】
一般式（Ａ３）のＲ7の炭素数１以上、２４以下の鎖状炭化水素基及び炭素数３以上、１２以下の環状炭化水素基は、それぞれ独立に、Ｒ3a、Ｒ6aとして挙げたものを選定できる。Ｒ7は水素原子もしくはメチル基が好ましい。
【００４２】
漂白性能を高める観点から、（Ａ）成分は、酸化電位が０．４Ｖ以上、更に０．４５Ｖ以上、更に０．４７Ｖ以上、更に０．５Ｖ以上が好ましく、そして１．０Ｖ以下、更には０．９５Ｖ以下、更には０．８Ｖ以下、更には０．７Ｖ以下、更には０．６５Ｖ以下、更には０．６Ｖ以下であることが好ましい。（Ａ）成分についての酸化電位は、サイクリックボルタンメトリーの酸化波のピーク位置と定義する。（Ａ）成分の酸化電位は、ｐＨ１２の緩衝液を用いて得た１０ｍＭの水溶液又は水分散液について、サイクリックボルタンメトリーにより、２５℃で測定されたものとすることができる。具体的には以下の方法で測定されたものとすることができる。なお、分子量未知の対象物質について下記の方法で酸化電位を測定する場合には、該対象物質を１０ｍＭ添加する代わりに、該対象物質を０．２質量％添加して同様に測定した酸化電位を、当該物質の酸化電位とすることができる。酸化電位は、測定装置としてALS Electrochemical analyzer model 620D（ALS社製）等を用いて測定できる。
【００４３】
＜酸化電位の測定方法＞
測定機器としてALS SEC-2000 electrochemical analyzer (model 620D)（ALS社製）を用い、作用電極としてグラッシーカーボン電極（3mm）、カウンター電極としてPt電極、参照電極としてAg/AgCl水系参照電極を用い、25℃にて測定を行う。掃引範囲は、-0.4〜+1.5〜-0.4、掃引速度は0.005V/secとする。KCl-NaOH buffer pH12.0  （KCl 0.05M、NaOH 0.012M）、KNO3：0.1M、ポリオキシエチレンラウリルエーテル（エチレンオキサイド平均付加モル数８）：1.0質量％の水溶液に、測定する化合物を10mM添加し、測定直前に20分間窒素バブリングを行う。
【００４４】
本発明の（Ａ）成分を以下に例示する。なお、これらの化合物番号は、後述の実施例で用いた化合物の番号と一致する。
【００４５】
【化５】
2014198842.tif 000006
【００４６】
【化６】
2014198842.tif 000007
【００４７】
【化７】
2014198842.tif 000008
【００４８】
本発明の（Ａ）成分の製造方法は、特に限定されないが、例えば、下記一般式（１’）で表されるホモピペラジン化合物と下記一般式（２’）で表されるエポキシ化合物とを、一般式（Ａ１１）を満たす条件となるように用いて、反応させる（以下、方法１という）ことで製造することができる。よって、本発明は、下記一般式（１’）で表されるホモピペラジン化合物と下記一般式（２’）で表されるエポキシ化合物とを反応させて得られる一般式（Ａ１１）で表されるホモピペラジン誘導体を提供する。また、本発明は、下記一般式（１’）で表されるホモピペラジン化合物と下記一般式（２’）で表されるエポキシ化合物とを反応させる、一般式（Ａ１１）で表されるホモピペラジン誘導体の製造方法を提供する。
【００４９】
【化８】
2014198842.tif 000009
【００５０】
［式（１’）中、Ｒ3aは一般式（Ａ１１）のＲ3aと同じであり、ｊ’は一般式（Ａ１１）のｊ’と同じである。また、式（２’）中、Ｒは、それぞれ独立に、一般式（Ａ１１）のＲ1a及びＲ2aとなる置換基又は水素原子である。］
【００５１】
反応原料の一つである一般式（１’）で表されるホモピペラジン化合物は、例えば非特許文献、Journal of Organic Chemistry １９６１年、２６号、１３１頁に記載の方法で合成することができる。
【００５２】
方法１における反応温度は、反応させるエポキシ化合物の反応性により適宜設定することができるが、通常−２０℃以上、２００℃以下である。反応時発熱を伴う場合は、−２０℃以上、０℃以下で反応することが好ましい。反応が進行しづらい場合には、８０℃以上、２００℃以下で反応することが好ましい。
【００５３】
方法１に用いる溶媒としては、反応条件下安定でかつ蒸留等の操作により生成物から分離できるものであれば、特に限定はされない。使用されうる溶媒しては、例えば、脂肪族炭化水素化合物、芳香族炭化水素化合物、ハロゲン化炭化水素化合物、エーテル化合物、アミド化合物、スルホキシド化合物等が挙げられる。なお、溶媒を用いずに反応を行ってもよく、反応後の精製工程の負荷の観点から、前記溶媒の使用量は、式（１’）のホモピペラジン化合物に対して５０００質量％以下、更に２０００質量％以下、更に１０００質量％以下が好ましい。
【００５４】
方法１では、酸性及び塩基性の均一系触媒、固体触媒を使用することができるが、反応後の精製工程の負荷低減の観点からは、無触媒で反応を行うことが好ましい。
【００５５】
前記の反応に用いる酸触媒としては、アルキル硫酸、ｐ−トルエンスルホン酸等のアルキルスルホン酸やアリールスルホン酸、リン酸、トルフルオロメタンスルホン酸、フッ化水素、ＳＯ3、ホウ酸、過塩素酸、ルイス酸（例えばホウ素、アルミニウム、鉄、チタン、スズ、亜鉛、スカンジウム、ランタン等のハロゲン化物やスルホン酸塩）、スルホン酸基を有する酸性イオン交換樹脂、ヘテロポリ酸及びその塩（例えば、Ｈ4ＳｉＭｏ12Ｏ40、Ｈ3ＰＭｏ12Ｏ40、Ｈ3ＰＷ12Ｏ40）、ゼオライト、などを挙げることができる。
【００５６】
塩基触媒としては、水酸化ナトリウム、水酸化カリウム、水酸化カルシウム、炭酸ナトリウム、炭酸カリウム、炭酸カルシウム、水素化ナトリウム、ナトリウムメトキサイド等のアルカリ金属又はアルカリ土類金属の水酸化物、炭酸塩、水素化物、アルコキサイド等が挙げられる。
【００５７】
使用する触媒の量としては、一般式（１’）で表されるホモピペラジン化合物に対して、０．００１質量％以上、更に０．０１質量％以上、更に０．１質量％以上が好ましく、そして、３０質量％以下、更に２０質量％以下、更に１０質量％が好ましい。
【００５８】
＜（Ｂ）成分＞
（Ｂ）成分は、有機過酸前駆体及び有機過酸からなる群から選択される１以上の化合物である。
【００５９】
漂白性能を高める観点と、組成物中での安定性が高い観点から、（Ｂ）成分としては、下記一般式（Ｂ１）で表される有機過酸前駆体である化合物が好ましい。
【００６０】
【化９】
2014198842.tif 000010
【００６１】
［式中、Ｒ1bは炭素数５以上、１９以下のアルキル基又はアルケニル基、Ｚは、ＳＯ3Ｍ又はＣＯＯＭ、Ｍは陽イオンを示す。］
【００６２】
また、組成物中での安定性を更に高める観点から、一般式（Ｂ１）におけるＲ1bは、好ましくは炭素数８以上であり、更には９以上、更には１０以上、更には１１以上である。また、過酸化水素と有効に反応し、効率よく有機過酸を生成するために、一般式（Ｂ１）におけるＲ1bは、炭素数１９以下であり、好ましくは１５以下であり、更には１３以下、更には１１以下である。
【００６３】
組成物中での安定性を更に高め、また、過酸化水素と有効に反応し、効率よく有機過酸を生成するために、一般式（Ｂ１）におけるＲ1bは、炭素数１１であることがより好ましい。また、一般式（Ｂ１）におけるＲ1bは、アルキル基が好ましい。
【００６４】
一般式（Ｂ１）におけるＭの陽イオンとしては、Ｎａ、Ｋ等のアルカリ金属イオン、アンモニウムイオン、炭素数３以上、１５以下、更に炭素数７以上、１５以下のアルキルアンモニウムイオン、モノエタノールアンモニウムイオン、ジエタノールアンモニウムイオン、トリエタノールアンモニウムイオン等が挙げられ、アルカリ金属イオンが好ましい。
【００６５】
本発明の（Ｂ）成分としては、アルカノイル基の炭素数が６以上、２０以下のアルカノイルオキシベンゼンスルホン酸塩及びアルカノイル基の炭素数が６以上、２０以下のアルカノイルオキシベンゼンカルボン酸塩からなる群から選択される１以上の化合物が好ましく、アルカノイル基の炭素数が６以上、２０以下のアルカノイルオキシベンゼンスルホン酸塩がより好ましい。これらのアルカノイル基の炭素数は、１６以下であり、更には１４以下、更には１２以下が好ましい。
【００６６】
＜（Ｃ）成分＞
（Ｃ）成分は、過酸化水素及び水中で過酸化水素を生成する過酸化物からなる群から選択される１以上の化合物である。
【００６７】
水中で過酸化水素を生成する過酸化物としては、無機過酸化物、過酸化水素付加物が挙げられ、好ましくは、過炭酸塩、トリポリリン酸塩・過酸化水素付加物、ピロリン酸塩・過酸化水素付加物、尿素・過酸化水素付加物、硫酸塩・過酸化水素付加物、過ホウ酸塩、過ケイ酸塩、過酸化塩であり、より好ましくは、過炭酸ナトリウム、トリポリリン酸ナトリウム・過酸化水素付加物、ピロリン酸ナトリウム・過酸化水素付加物、尿素・過酸化水素付加物、又は４Ｎａ2ＳＯ4・２Ｈ2Ｏ2、過ホウ酸ナトリウム一水和物、過ホウ酸ナトリウム四水化物、過ケイ酸ナトリウム、過酸化ナトリウム、過酸化カルシウム等である。
【００６８】
また、更に好ましい（Ｃ）成分は、過酸化水素、過炭酸ナトリウム及び過ホウ酸ナトリウムからなる群から選択される１以上の化合物であり、過酸化水素がより好ましく用いられる。
【００６９】
＜酸化性組成物＞
以下、本発明の酸化性組成物における各成分の含有量、ｐＨ、含有させることのできる成分等を示す。含有量やｐＨは、本発明の酸化性組成物使用時における各成分の含有量及びｐＨとして位置付けることができる。すなわち、特に記載のない場合は、酸化性組成物全体に対する含有割合、ｐＨを表している。
【００７０】
本発明の酸化性組成物は、漂白性能を高める観点から、（Ａ）成分を、０．０１質量％以上、更に０．０５質量％以上、更に０．１質量％以上、更に０．２質量％以上、更に０．５質量％以上、更に０．５５質量％以上含有することが好ましく、そして、経済的な観点から、１０質量％以下、更に５質量％以下、更に２質量％以下、更に１質量％以下含有することが好ましい。
【００７１】
本発明の酸化性組成物は、漂白性能を高める観点から、（Ｂ）成分を、０．０１質量％以上、更に０．１質量％以上、更に１質量％以上、更に１．５質量％以上、更に２質量％以上含有することが好ましく、そして、保存安定性の観点から３０質量％以下、更に２０質量％以下、更に１０質量％以下、更に５質量％以下含有することが好ましい。
【００７２】
本発明の酸化性組成物は、漂白性能を高める観点から、（Ｃ）成分を、過酸化水素として、０．０１質量％以上、更に０．１質量％以上、更に０．５質量％以上、更に１質量％以上、更に１．４質量％以上含有することが好ましく、そして、保存安定性の観点から、５０質量％以下、更に３０質量％以下、更に２０質量％以下、更に１０質量％以下、更に５質量％以下含有することが好ましい。以下、（Ｃ）成分の量は、特記しない限り、過酸化水素としての量をいう。
【００７３】
（Ａ）成分の含有量に対する（Ｂ）成分の含有量の質量比［（Ｂ）／（Ａ）］は、漂白性能を高める観点から、０．０１以上、更に０．１以上、更に０．２以上、更に０．５以上、更に１以上、更に３以上、更に５以上が好ましく、そして、５０以下、更に３０以下、更に２０以下、更に１５以下、更に１０以下が好ましい。
【００７４】
（Ａ）成分の含有量に対する（Ｃ）成分の含有量の質量比［（Ｃ）／（Ａ）］は、漂白性能を高める観点から、０．１以上、更に０．２以上、更に０．５以上、更に１以上、更に３以上、更に５以上が好ましく、そして、５０以下、更に３０以下、更に２０以下、更に１５以下、更に１０以下が好ましい。
【００７５】
（Ｂ）成分の含有量に対する（Ｃ）成分の含有量の質量比［（Ｃ）／（Ｂ）］は、漂白性能を高める観点から、０．０１以上、更に０．０５以上、更に０．１以上、更に０．３以上、更に０．５以上、更に０．７以上が好ましく、そして、５０以下、更に３０以下、更に２０以下、更に１０以下、更に５以下、更に２以下、更に１．５以下が好ましい。
【００７６】
（Ａ）成分の含有量と（Ｂ）成分の含有量の合計に対する（Ｃ）成分の含有量の質量比、（Ｃ）／［（Ａ）＋（Ｂ）］は、漂白性能を高める観点から、０．０１以上、更に０．０５以上、更に０．１以上、更に０．３以上、更に０．５以上が好ましく、そして、２０以下、更に１０以下、更に５以下、更に３以下、更に１以下、更に０．８以下が好ましい。
【００７７】
＜（Ｄ）成分＞
本発明の酸化性組成物は、漂白性能を高める観点から、（Ｄ）成分として、アルカリ金属の水酸化物、アルカリ金属の炭酸塩、アルカリ土類金属の水酸化物、アルカリ土類金属の炭酸塩、モノエタノールアミン、ジエタノールアミン及びトリエタノールアミンからなる群から選択される１以上のアルカリ剤を含有することが好ましい。
【００７８】
漂白性能を高める観点から、（Ｄ）成分は、アルカリ金属の水酸化物及びアルカリ金属の炭酸塩からなる群から選択される１以上のアルカリ剤が好ましく、アルカリ金属の水酸化物から選択される１以上のアルカリ剤が好ましい。（Ｄ）成分は、水酸化ナトリウム、水酸化カリウム、炭酸ナトリウム及び炭酸カリウムからなる群から選択される１以上のアルカリ剤がより好ましく、水酸化ナトリウム及び水酸化カリウムからなる群から選択される１以上のアルカリ剤が更に好ましい。
【００７９】
本発明の酸化性組成物において、（Ｄ）成分は、使用時のｐＨが、２０℃で１０以上、１２．５以下となる量を含有することが好ましい。
本発明の酸化性組成物は、漂白性能を高める観点から、（Ｄ）成分を、０．０１質量％以上、更に０．１質量％以上、更に１質量％以上、更に１．４質量％以上含有することが好ましく、そして、漂白性能を高める観点から、５０質量％以下、更に３０質量％以下、更に２０質量％以下、更に１０質量％以下、更に５質量％以下含有することが好ましい。
【００８０】
＜（Ｅ）成分＞
本発明の酸化性組成物は、（Ｅ）成分として、界面活性剤を含有することが好ましい。
【００８１】
（Ｅ）成分としては、ノニオン界面活性剤、カチオン界面活性剤、両性界面活性剤及びアニオン界面活性剤からなる群から選択される１以上の界面活性剤が挙げられる。
（Ｅ）成分は、ノニオン界面活性剤、両性界面活性剤及びアニオン界面活性剤からなる群から選択される１以上の界面活性剤が好ましく、ノニオン界面活性剤、及び両性界面活性剤から選択される１以上の界面活性剤がより好ましく、ノニオン界面活性剤から選択される１以上の界面活性剤が更に好ましい。
【００８２】
ノニオン界面活性剤としては、一般式（Ｅ１−１）で表される化合物及び一般式（Ｅ１−２）で表される化合物から選ばれる化合物が好ましく、一般式（Ｅ１−１）で表される化合物がより好ましい。
Ｒ1e−Ｘ−（ＢＯ）m−Ｙ      （Ｅ１−１）
〔式中、Ｒ1eは、直鎖又は分岐鎖の炭素数６以上、２２以下のアルキル基又はアルケニル基及び直鎖又は分岐鎖の炭素数１以上、１８以下のアルキル基で置換されていてもよいアリール基からなる群から選択される基を示す。Ｘは−Ｏ−又は−ＣＯＯ−を示す。Ｂは直鎖又は分岐鎖の炭素数２以上、３以下のアルキレン基を示し、ｍ個のＢは同一でも異なっていてもよい。ＹはＨ又は炭素数１以上、３以下のアルキル基を示す。ｍは、ＢＯの平均付加モル数であり、３以上、５０以下の数を示す。〕
Ｒ1e'−(ＯＲ2e')xＧy        （Ｅ１−２）
〔式中、Ｒ1e'は炭素数８以上、１８以下の分岐鎖又は直鎖である１価の脂肪族炭化水素基、Ｒ2e'は炭素数２以上、４以下のアルキレン基、Ｇは還元糖に由来する残基、ｘは平均値で０以上、６以下の数、ｙは平均値で１以上、１０以下の数を示す。〕
【００８３】
一般式（Ｅ１−１）においてＡ基はエチレン基又はプロピレン基（好ましくはエチレン基）を示すことが好ましいが、これらはブロック型に重合してもよく、ランダム型に重合してもよい。Ｒ1eは、直鎖又は分岐鎖の炭素数６以上、１８以下のアルキル基であることが好ましく、Ｘは−Ｏ−が好ましく、ＹはＨであることが好ましい。ｍは、３以上、１５以下であることが好ましい。
【００８４】
一般式（Ｅ１−２）において、好ましいｘの値は０以上、２以下であり、より好ましくは０である。また、ｙの平均値は好ましくは１以上、５以下、より好ましくは１以上、１．５以下、より更に好ましくは１．１以上、１．４以下である。尚、ｙの測定値はプロトンＮＭＲ法によるものである。好ましい原料は、それらの入手容易性及びコストの点から、単糖類ではグルコース及びフルクトースであり、２糖類以上ではマルトース及びスクロースである。Ｒ1e'は、直鎖又は分岐鎖の総炭素数８以上、１６以下のアルキル基が好ましい。
【００８５】
カチオン界面活性剤としては、一般式（Ｅ２）で表される第４級アンモニウム塩が好ましく用いられる。
【００８６】
【化１０】
2014198842.tif 000011
【００８７】
〔式中、Ｒ2e、Ｒ3e、Ｒ4e、Ｒ5eは、少なくとも１つが直鎖又は分岐鎖の炭素数６以上、２０以下、好ましくは８以上、１８以下のアルキル基又はアルケニル基を示し、残りが炭素数１以上、３以下アルキル基又はヒドロキシアルキル基を示す。また、Ｌ-は有機又は無機の陰イオン基を示す。〕
【００８８】
これら第４級アンモニウム塩の具体例としては、以下の化合物が挙げられる。
【００８９】
【化１１】
2014198842.tif 000012
【００９０】
〔式中、ｈは６以上、２０以下、好ましくは８以上、１８以下の数、ｇ及びｄは同一又は異なって、それぞれ独立に、６以上、２０以下、好ましくは８以上、１８以下の数を示し、Ｒ6eは炭素数１以上、３以下のアルキル基又はヒドロキシアルキル基を示し、Ｑ-は、有機又は無機の陰イオン基、好ましくは、Ｃｌ-、Ｂｒ-等のハロゲンイオン、ＣＨ3ＳＯ4-、ＣＨ3ＣＨ2ＳＯ4-等のアルキルサルフェートイオン、又はＣ11Ｈ23ＣＯＯ-、ＣＨ3ＣＯＯ-等の脂肪酸イオンを示す。〕
【００９１】
これらの中でも、ジオクチルジメチルアンモニウム塩、ジデシルジメチルアンモニウム塩、ジドデシルジメチルアンモニウム塩、ドデシルトリメチルアンモニウム塩、テトラデシルトリメチルアンモニウム塩、テトラデシルジメチルエチルアンモニウム塩、及びヘキサデシルトリメチルアンモニウム塩からなる群から選択されるカチオン界面活性剤が好ましい。
【００９２】
両性界面活性剤としては、カルボベタイン、スルホベタイン、ヒドロキシスルホベタインなどが挙げられる。
【００９３】
アニオン界面活性剤としては、アルキル硫酸エステル塩、アルキルエーテル硫酸エステル塩、アルキルベンゼンスルホン酸又はその塩、アルカンスルホン酸又はその塩、飽和又は不飽和脂肪酸塩、アルキル又はアルケニルエーテルカルボン酸塩、α−スルホ脂肪酸塩、α−スルホ脂肪酸エステルなどが挙げられる。これらの中でもアルキルベンゼンスルホン酸又はその塩が好ましい。
【００９４】
（Ｅ）成分としては、（Ｂ）成分の保存安定性の観点から、ノニオン界面活性剤が好ましい。また、（Ｅ）成分中、ノニオン界面活性剤の割合が５０質量％以上、更に６０質量％以上、更に７０質量％以上、更に８０質量％以上、そして、９５質量％以下、更に９０質量％以下、更に８５質量％以下であることが好ましい。
【００９５】
本発明の酸化性組成物は、漂白性能及び保存安定性を高める観点から、（Ｅ）成分を、０．１質量％以上、更に１質量％以上、更に４質量％以上、そして、液の粘度を低くして取り扱いを良好にするために、５０質量％以下、更に３０質量％以下、更に１５質量％以下含有することが好ましい。
【００９６】
＜（Ｆ）成分＞
本発明の酸化性組成物は、（Ｆ）成分として、キレート剤を含有することが好ましい。
【００９７】
（Ｆ）成分は、カルシウムキレート定数（ｐＫＣａ）が４以上、更に４．５以上、更に５以上のキレート剤であることが、組成物の保存安定性の観点から好ましい。ここでｐＫＣａとは、カルシウムイオン電極を用い、キレート剤０．１質量％溶液、ｐＨ１０、２５℃、０．１Ｍ  ＮＨ4Ｃｌ−ＮＨ4ＯＨ緩衝液を用いて測定した値である。
【００９８】
本発明の（Ｆ）成分として用いられるキレート剤の具体例としては、エチレンジアミン４酢酸、ニトリロトリ酢酸、ヒドロキシエチルイミノジ酢酸等のアミノ酸系キレート剤、１−ヒドロキシエチリデン−１，１−ジホスホン酸、エタンヒドロキシ−１，１，２−トリホスホン酸、エタン−１，２−ジカルボキシ−１，２−ジホスホン酸、メタンヒドロキシホスホン酸等のホスホン酸系キレート剤、アクリル酸／マレイン酸コポリマー等のカルボン酸系ポリマー、トリポリリン酸等のポリリン酸系キレート剤を挙げることができる。これらの中でも、ホスホン酸系キレート剤及びカルボン酸系キレート剤からなる群から選択される１以上のキレート剤が好ましい。
【００９９】
本発明の酸化性組成物は、組成物の安定性の観点から、（Ｆ）成分を、好ましくは０．０１質量％以上、更には０．０５質量％以上、更には０．１質量％以上、更には０．１５質量％以上、更には０．２質量％以上含有する。また、本発明の酸化性組成物は、混合後のｐＨ値をアルカリ性とするために、（Ｆ）成分を、好ましくは３０質量％以下、更には２０質量％以下、更には１０質量％以下、更には５質量％以下、更には３質量％以下、更には１質量％以下、更には０．５質量％以下含有する。
【０１００】
＜（Ｇ）成分＞
（Ｇ）成分として、水を含有することが好ましい。水は、組成物の残部の量（組成物全体を１００質量％とする量）で用いられるのが好ましい。水の含有量は、５０質量％以上であることが好ましく、更に６０質量％以上、更に７０質量％以上、更に８０質量％以上、更に９０質量％以上であることが好ましい。
【０１０１】
＜その他成分＞
本発明の酸化性組成物は、その他成分として、香料、ｐＨ調整剤、可溶化剤、浸透剤、懸濁化剤、研磨剤、顔料等の任意成分を含有すること出来る。
【０１０２】
本発明の酸化性組成物は、風呂・トイレ・台所等の硬質表面の漂白、カビ取り、衣類の漂白、汚れ・匂い原因物質の分解、除菌、パルプの漂白、など、ある対象物に対して酸化作用が有用な効果をもたらす様々な用途に用いることができる。なかでも、本発明の酸化性組成物は、漂白用又は漂白洗浄用であることが好ましい。更に、硬質表面の漂白用又は漂白洗浄用であることが好ましい。
【０１０３】
本発明の酸化性組成物は、硬質表面用の漂白剤又は硬質表面用の漂白洗浄剤として用いることが好ましい。また、衣料用洗浄剤として用いることも出来、消臭剤、除菌剤、殺菌剤として使用することも好ましい。カビ取り剤として用いることが好ましく、浴室用のカビ取り剤として用いることも好ましい。カビが発生する硬質表面は一般に耐酸化性が高いこと、及び本発明の酸化性組成物が従来技術では除去困難であったカビ汚れに対して顕著な漂白効果を示すことから、本発明の酸化性組成物は、カビ取り剤として用いることが最も好ましい。
【０１０４】
本発明の酸化性組成物は、液体組成物、粉末組成物、ゲル状組成物など、いずれの形態であってもよい。形態が液体であることが好ましい。水を含有する液体形態である場合、２０℃のｐＨが９以上、更に１０以上、更１１以上、そして、１３以下、更に１２．８以下、更に１２．５以下であることが好ましい。また、本発明の酸化性組成物は、粉末等、固体形態である場合、０．１質量％水溶液の２０℃のｐＨが９以上、更に１０以上、更１１以上、そして、１３以下、更に１２．８以下、更に１２．５以下であることが好ましい。
【０１０５】
本発明により、（Ａ）成分、（Ｂ）成分、及び（Ｃ）成分を含有する漂白剤組成物又は漂白洗浄剤組成物が提供される。また、本発明により、（Ａ）成分、（Ｂ）成分、（Ｃ）成分、及び水を含有する液体漂白剤組成物又は液体漂白洗浄剤組成物が提供される。また、本発明により、（Ａ）成分、（Ｂ）成分、（Ｃ）成分、及び水を含有する、硬質表面用液体漂白剤組成物又は硬質表面用液体漂白洗浄剤組成物が提供される。また、本発明により、（Ａ）成分、（Ｂ）成分、（Ｃ）成分、及び水を含有する、硬質表面用カビ取り剤組成物、更に浴室用カビ取り剤組成物が提供される。
【０１０６】
本発明の酸化性組成物は、液体漂白剤組成物又は液体漂白洗浄剤組成物として用いる場合、該組成物をスプレー式容器に充填し、対象物にスプレーして用いることが好ましい。また、前記の多剤型漂白洗浄剤を混合した組成物もスプレーにより対象物に適用することが好ましい。本発明により、本発明の酸化性組成物をスプレー容器に充填してなる漂白洗浄剤物品が提供される。
【０１０７】
一例として、本発明の酸化性組成物が衣料用液体漂白洗浄剤組成物である場合の好ましい含有量を以下に示す。
衣料用液体漂白洗浄剤組成物中の（Ａ）成分の含有量は、０．０１質量％以上、更に０．１質量％以上、更に０．１５質量％以上、そして、１０質量％以下、更に５質量％以下、更に３質量％以下、更に１質量％以下、更に０．５質量％以下が好ましい。また、衣料用液体漂白洗浄剤組成物中の（Ｂ）成分の含有量は、０．０１質量％以上、更に０．１質量％以上、更に１質量％以上、そして、３０質量％以下、更に１０質量％以下、更に５質量％以下、更に３質量％以下が好ましい。また、衣料用液体漂白洗浄剤組成物中の（Ｃ）成分の含有量は、０．０１質量％以上、更に０．１質量％以上、更に１質量％以上、更に１．４質量％以上、そして、５０質量％以下、更に３０質量％以下、更に１０質量％以下、更に５質量％以下、更に２質量％以下が好ましい。また、（Ｄ）成分を用いる場合、衣料用液体漂白洗浄剤組成物中の（Ｄ）成分の含有量は、０．０１質量％以上、更に０．１質量％以上、更に１質量％以上、そして、５０質量％以下、更に３０質量％以下、更に１０質量％以下、更に５質量％以下、更に２質量％以下が好ましい。また、（Ｅ）成分を用いる場合、衣料用液体漂白洗浄剤組成物中の（Ｅ）成分の含有量は、０．１質量％以上、更に１質量％以上、更に４質量％以上、そして、５０質量％以下、更に３０質量％以下、更に１５質量％以下が好ましい。また、（Ｆ）成分を用いる場合、衣料用液体漂白洗浄剤組成物中の（Ｆ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。これらの含有量は、本発明の酸化性組成物が、衣料用液体漂白剤組成物である場合にも同様に適用できる。
【０１０８】
一例として、本発明の酸化性組成物が、硬質表面用漂白洗浄剤組成物である場合の好ましい含有量を以下に示す。
硬質表面用漂白洗浄剤組成物中の（Ａ）成分の含有量は、０．０１質量％以上、更に０．１質量％以上、更に０．１５質量％以上、そして、２０質量％以下、更に１０質量％以下、更に５質量％以下、更に３質量％以下、更に１質量％以下、更に０．９質量％以下が好ましい。また、硬質表面用漂白洗浄剤組成物中の（Ｂ）成分の含有量は、０．０１質量％以上、更に０．１質量％以上、更に１質量％以上、更に１．５質量％以上、そして、５０質量％以下、更に３０質量％以下、更に１０質量％以下、更に５質量％以下、更に３質量％以下が好ましい。また、硬質表面用漂白洗浄剤組成物中の（Ｃ）成分の含有量は、０．０１質量％以上、更に０．１質量％以上、更に１質量％以上、更に１．４質量％以上、そして、５０質量％以下、更に３０質量％以下、更に１０質量％以下、更に５質量％以下、更に２質量％以下、更に１．５質量％以下が好ましい。また、（Ｄ）成分を用いる場合、硬質表面用漂白洗浄剤組成物中の（Ｄ）成分の含有量は、０．０１質量％以上、更に０．１質量％以上、更に１質量％以上、そして、５０質量％以下、更に３０質量％以下、更に１０質量％以下、更に５質量％以下、更に２質量％以下が好ましい。また、（Ｅ）成分を用いる場合、硬質表面用漂白洗浄剤組成物中の（Ｅ）成分の含有量は、０．１質量％以上、更に１質量％以上、更に４質量％以上、そして、５０質量％以下、更に３０質量％以下、更に１５質量％以下が好ましい。また、（Ｆ）成分を用いる場合、硬質表面用漂白洗浄剤組成物中の（Ｆ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。これらの含有量は、本発明の酸化性組成物が、硬質表面用漂白剤組成物、カビ取り剤組成物又は浴室用カビ取り剤組成物である場合にも同様に適用できる。
【０１０９】
本発明は、有機過酸前駆体及び有機過酸からなる群から選択される１以上の化合物〔（Ｂ）成分〕と、過酸化水素及び水中で過酸化水素を生成する過酸化物からなる群から選択される１以上の化合物〔（Ｃ）成分〕とを用いて得た酸化性組成物の酸化力が、前記一般式（Ａ１）で表される化合物及び前記一般式（Ａ２）で表される化合物からなる群から選択される１以上の化合物〔（Ａ）成分〕により、飛躍的に向上すること、すなわち、（Ｂ）成分と（Ｃ）成分の併用系において（Ａ）成分の効果が著しいことを見いだしたものである。本発明により、有機過酸前駆体及び有機過酸からなる群から選択される１以上の化合物〔（Ｂ）成分〕と、過酸化水素及び水中で過酸化水素を生成する過酸化物からなる群から選択される１以上の化合物〔（Ｃ）成分〕とを用いて得た酸化性組成物に、前記一般式（Ａ１）で表される化合物及び前記一般式（Ａ２）で表される化合物からなる群から選択される１以上の化合物〔（Ａ）成分〕を適用して前記酸化性組成物の酸化力を向上させる、酸化性組成物の酸化力向上方法が提供される。
【０１１０】
一般に、色素（色素化合物）に対して、過酸化水素〔（Ｃ）成分〕は酸化剤として作用するが、過酸化水素と有機過酸前駆体〔（Ｂ）成分〕とを併用することで、より酸化力の高い有機過酸が生じるため、漂白分野では、しばしば過酸化水素と有機過酸前駆体とを併用することが行われる。そのため、有機過酸前駆体は漂白活性化剤としても知られていたが、その効果は公知技術の範疇に留まっており、更に抜本的に漂白力を向上させる技術が望まれていた。本発明では、（Ｂ）成分と（Ｃ）成分とを併用した系において、（Ａ）成分を存在させることで、漂白力を大幅に向上させることが可能となった。これは、（Ａ）成分が過酸化水素と反応して（Ａ）成分の活性種が生成し、これが色素化合物に作用することで、色素化合物が有機過酸の酸化力を受けやすい状態になるためであると推察される。本発明によれば、特定構造の（Ａ）成分を選定して用いることにより、従来技術では漂白することが困難であった対象物の漂白が可能となり、更には酸化剤の各種対象物に有用な効果を示すことが可能となる。
【０１１１】
＜酸化性組成物用多剤型物品＞
本発明では、（Ａ）成分、（Ｂ）成分、（Ｃ）成分を使用直前に混合して本発明の組成物を調製してもよい。（Ｃ）成分の安定性を考慮すると、（Ａ）成分と（Ｃ）成分とを分離した状態で保持しておき、使用直前に（Ａ）成分、（Ｂ）成分、（Ｃ）成分を混合することが好ましい。このような使用形態を考慮した場合、（Ａ）成分、（Ｂ）成分、（Ｃ）成分、及び水から選択される成分を含む剤の組み合わせからなり、（Ａ）成分と（Ｃ）成分が別の剤に配合されている、酸化性組成物用多剤型物品は好適である。
【０１１２】
本発明の酸化性組成物用多剤型物品として、（Ａ）成分、（Ｂ）成分、（Ｃ）成分、及び水から選択される成分を含む剤の組み合わせからなり、（Ａ）成分と（Ｃ）成分が別の剤に配合されている、漂白剤組成物用多剤型物品が挙げられる。また、本発明の酸化性組成物用多剤型物品として、（Ａ）成分、（Ｂ）成分、（Ｃ）成分、及び水から選択される成分を含む剤の組み合わせからなり、（Ａ）成分と（Ｃ）成分が別の剤に配合されている、漂白洗浄剤組成物用多剤型物品が挙げられる。なお、多剤型物品は、１つ１つの剤が独立した物品となっている形態（例えばキットなど）や１つ１つの剤を１つの物品にまとめた形態（例えば２剤型スプレー式物品など）など、種々の形態であってよい。これら酸化性組成物用多剤型物品は、（Ａ）成分、（Ｂ）成分、（Ｃ）成分、及び水を混合して本発明の酸化性組成物、更に本発明の漂白剤組成物、本発明の漂白洗浄剤組成物を調製するために好適である。
【０１１３】
本発明の酸化性組成物用多剤型物品の一例として、（Ａ）成分、及び水を含有する第１の液体組成物からなる第１の剤と、（Ｂ）成分、（Ｃ）成分、及び水を含有する第２の液体組成物からなる第２の剤との組み合わせを含む酸化性組成物用多剤型物品であって、前記第１の剤と第２の剤とを分離した状態で保持し、第１の剤と第２の剤が混合されて、（Ａ）成分、（Ｂ）成分、（Ｃ）成分、及び水を含有する酸化性組成物が調製される、酸化性組成物用多剤型物品が挙げられる。
【０１１４】
本発明の漂白剤組成物用多剤型物品又は漂白洗浄剤組成物用多剤型物品では、少なくとも（Ａ）成分と（Ｃ）成分を分けて保持し、使用時に（Ａ）成分、（Ｂ）成分、（Ｃ）成分、及び水を混合して用いることが好ましい。また、本発明の漂白剤組成物用多剤型物品又は漂白洗浄剤組成物用多剤型物品では、（Ａ）成分を含有する剤と、（Ｂ）成分及び（Ｃ）成分を含有する剤とを含むことが好ましい。
【０１１５】
また、本発明の漂白剤組成物用多剤型物品又は漂白洗浄剤組成物用多剤型物品では、内容物の安定性を高めるために、（Ａ）成分を含有する剤と、（Ｂ）成分及び（Ｃ）成分を含有する剤の２剤に分けて保持し、使用時に混合して用いることがより好ましい。
【０１１６】
本発明の漂白剤組成物用多剤型物品の一例として、（Ａ）成分、及び水を含有する第１の液体組成物からなる第１の剤と、（Ｂ）成分、（Ｃ）成分、及び水を含有する第２の液体組成物からなる第２の剤との組み合わせを含む漂白剤組成物用多剤型物品であって、前記第１の剤と第２の剤とを分離した状態で保持し、第１の剤と第２の剤が混合されて、（Ａ）成分、（Ｂ）成分、（Ｃ）成分、及び水を含有する漂白剤組成物が調製される、漂白剤組成物用多剤型物品（以下、漂白剤組成物用多剤型物品１という）が挙げられる。
【０１１７】
この漂白剤組成物用多剤型物品１では、第１の剤中の（Ａ）成分の含有量は、０．０２質量％以上、更に０．２質量％以上、更に０．３質量％以上が好ましく、そして、４０質量％以下、更に２０質量％以下、更に５質量％以下、更に２質量％以下が好ましい。漂白剤組成物用多剤型物品１では、（Ｄ）成分を用いて第１の液体組成物のｐＨを前記範囲に調整することが好ましい。従って、第１の液体組成物は、（Ｄ）成分を含有することが好ましい。漂白剤組成物用多剤型物品１では、（Ｄ）成分を含有する場合には第１の剤中に含有することが好ましく、第１の剤中の（Ｄ）成分の含有量は、０．０２質量％以上、更に０．２質量％以上、更に２質量％以上が好ましく、そして、５０質量％以下、更に２０質量％以下、更に１０質量％、更に５質量％以下が好ましい。水は残部となる量で用いられる。第１の剤は、（Ｃ）成分を含有しないことが好ましい。第１の液体組成物のｐＨは、２０℃で、１１以上、更に１２以上、更に１３以上、そして、１３．８以下、更に１３．６以下であることが好ましい。また、（Ａ）成分がアルカリ剤として機能してもよい。
【０１１８】
また、この漂白剤組成物用多剤型物品１では、第２の剤中の（Ｂ）成分の含有量は、０．０２質量％以上、更に０．２質量％以上、更に２質量％以上、更に３質量％以上が好ましく、そして、５０質量％以下、更に３０質量％以下、更に１０質量％以下、更に５質量％以下が好ましい。また、この漂白剤組成物用多剤型物品１では、第２の剤中の（Ｃ）成分の含有量は、０．０２質量％以上、更に０．２質量％以上、更に２質量％以上が好ましく、そして、５０質量％以下、更に３０質量％以下、更に１０質量％以下、更に５質量％以下、更に３質量％以下が好ましい。水は残部となる量で用いられる。第２の液体組成物のｐＨは、２０℃で、１以上、更に２以上、更２．５以上、そして、５以下、更に４以下、更に３．５以下であることが好ましい。
【０１１９】
本発明の漂白洗浄剤組成物用多剤型物品の一例として、（Ａ）成分、及び水を含有する第１の液体組成物からなる第１の剤と、（Ｂ）成分、（Ｃ）成分、及び水を含有する第２の液体組成物からなる第２の剤との組み合わせを含む漂白洗浄剤組成物用多剤型物品であって、前記第１の剤と第２の剤とを分離した状態で保持し、前記第１の剤と第２の剤とを分離した状態で保持し、第１の剤と第２の剤が混合されて、（Ａ）成分、（Ｂ）成分、（Ｃ）成分、及び水を含有する漂白洗浄剤組成物が調製される、漂白洗浄剤組成物用多剤型物品（以下、漂白洗浄剤組成物用多剤型物品１という）が挙げられる。この漂白洗浄剤組成物用多剤型物品１においても、第１の剤中の（Ａ）成分の含有量、第２の剤中の（Ｂ）成分の含有量、第２の剤中の（Ｃ）成分の含有量、第１の剤のｐＨ、第２の剤のｐＨは、それぞれ、前記漂白剤組成物用多剤型物品１で述べた範囲が適用できる。また、何れの剤においても、水は残部となる量で用いられる。また、第１の剤は、（Ｃ）成分を含有しないことが好ましい。
【０１２０】
これらの漂白剤組成物用多剤型物品１又は漂白洗浄剤組成物用多剤型物品１では、第１の剤が（Ｄ）成分を含有することが好ましい。第１の剤が（Ｄ）成分を含有する場合、第１の剤中の（Ｄ）成分の含有量は、０．０２質量％以上、更に０．２質量％以上、更に２質量％以上が好ましく、そして、５０質量％以下、更に２０質量％以下、更に１０質量％、更に５質量％以下が好ましい。
【０１２１】
これらの漂白剤組成物用多剤型物品１又は漂白洗浄剤組成物用多剤型物品１では、第１の剤及び第２の剤の少なくとも一方が（Ｅ）成分を含有することが好ましい。第１の剤及び第２の剤の両方が（Ｅ）成分を含有することがより好ましい。第１の剤が（Ｅ）成分を含有する場合、第１の剤中の（Ｅ）成分の含有量は０．０１質量％以上、更に０．１質量％以上、更に０．４質量％以上が好ましく、そして、５質量％以下、更に３質量％以下、更に１．０質量％以下、更に０．６質量％以下が好ましい。また、第２の剤が（Ｅ）成分を含有する場合、第２の剤中の（Ｅ）成分の含有量は、０．０１質量％以上、更に０．１質量％以上、更に０．５質量％以上、更に３質量％以上、更に５質量％以上が好ましく、そして、５０質量％以下、更に３０質量％以下、更に１０質量％以下が好ましい。
【０１２２】
また、これらの漂白剤組成物用多剤型物品１又は漂白洗浄剤組成物用多剤型物品１では、第２の剤が（Ｆ）成分を含有することが好ましい。その場合、第２の剤中の（Ｆ）成分の含有量は、０．０１質量％以上、更に０．１質量％以上、更に０．３質量％以上が好ましく、そして、２．０質量％以下、更に１．０質量％以下、更に０．５質量％以下が好ましい。
【０１２３】
漂白剤組成物用多剤型物品１又は漂白洗浄剤組成物用多剤型物品１のような本発明の多剤型物品では、（Ｅ）成分、（Ｆ）成分は、第１、第２の液体組成物の何れに配合してもよいが、それぞれが、少なくとも第２の液体組成物に配合されていることが好ましい。
【０１２４】
本発明の漂白剤組成物用多剤型物品又は漂白洗浄剤組成物用多剤型物品が、前記のような２剤型である場合には、第１の剤と第２の剤を分離して収容する収容部と各収容部から内容物を噴霧する２つのスプレー手段とを備えた容器を用いた２剤型スプレー式漂白剤物品又は２剤型スプレー式漂白洗浄剤物品であることが好ましい。この形態のスプレー物品では、それぞれの収容部から排出される第１の液体組成物と第２の液体組成物が噴出直後に合一されて混合した状態で対象物に噴射されることが好ましい。従って、それぞれのスプレー口から噴射された内容物が混合されて対象物に付着するよう、スプレー口の開口方向の角度を調整することが好ましい。２剤型スプレー式漂白剤物品又は２剤型スプレー式漂白洗浄剤物品である場合には、スプレーから噴出する前に液が接しないように、２個のスプレー口を有する容器が好ましい。また、噴出した液が先端部分で固化することを防止するために、２個のスプレー口の間隔は０．０１ｍｍ以上、好ましくは０．１ｍｍ以上、より好ましくは１ｍｍ以上、更に好ましくは３ｍｍ以上であることが好ましく、噴出した液が混合しやすくするために、１０ｍｍ以下、更には８ｍｍ以下、更には５ｍｍ以下であることが好ましい。
【０１２５】
本発明は、
（Ａ）成分、及び水を含有する第１の液体組成物からなる第１の剤が収容された第１の収容部と、
（Ｂ）成分、（Ｃ）成分及び水を含有する第２の液体組成物からなる第２の剤が収容された第２の収容部と、
スプレー口を有し、前記第１の収容部から前記第１の液体組成物を噴霧する第１のスプレー手段と、
スプレー口を有し、前記第２の収容部から前記第２の液体組成物を噴霧する第２のスプレー手段と、
を備え、
前記第１の収容部と前記第２の収容部により、前記第１の液体組成物と前記第２の液体組成物が分離されており、
前記第１のスプレー手段のスプレー口と前記第２のスプレー手段のスプレー口が、前記第１の液体組成物と前記第２の液体組成物が噴射後に混合されるよう、設けられている、２剤型スプレー式漂白剤物品を提供する。この２剤型スプレー式漂白剤物品においても、第１の液体組成物中の（Ａ）成分の含有量、第２の液体組成物中の（Ｂ）成分の含有量、第２の液体組成物中の（Ｃ）成分の含有量、第１の液体組成物のｐＨ、第２の液体組成物のｐＨは、それぞれ、前記漂白剤組成物用多剤型物品１で述べた範囲が適用できる。また、何れの液体組成物においても、水は残部となる量で用いられる。また、第１の剤は、（Ｃ）成分を含有しないことが好ましい。
【０１２６】
また、本発明は、
（Ａ）成分、及び水を含有する第１の液体組成物からなる第１の剤が収容された第１の収容部と、
（Ｂ）成分、（Ｃ）成分及び水を含有する第２の液体組成物からなる第２の剤が収容された第２の収容部と、
スプレー口を有し、前記第１の収容部から前記第１の液体組成物を噴霧する第１のスプレー手段と、
スプレー口を有し、前記第２の収容部から前記第２の液体組成物を噴霧する第２のスプレー手段と、
を備え、
前記第１の収容部と前記第２の収容部により、前記第１の液体組成物と前記第２の液体組成物が分離されており、
前記第１のスプレー手段のスプレー口と前記第２のスプレー手段のスプレー口が、前記第１の液体組成物と前記第２の液体組成物が噴射後に混合されるよう、設けられている、２剤型スプレー式漂白洗浄剤物品を提供する。この２剤型スプレー式漂白洗浄剤物品においても、第１の液体組成物中の（Ａ）成分の含有量、第２の液体組成物中の（Ｂ）成分の含有量、第２の液体組成物中の（Ｃ）成分の含有量、第１の液体組成物のｐＨ、第２の液体組成物のｐＨは、それぞれ、前記漂白洗浄剤組成物用多剤型物品１で述べた範囲が適用できる。また、何れの液体組成物においても、水は残部となる量で用いられる。また、第１の剤は、（Ｃ）成分を含有しないことが好ましい。
【０１２７】
なお、漂白剤組成物用多剤型物品、漂白洗浄剤組成物用多剤型物品、２剤型スプレー式漂白剤物品、２剤型スプレー式漂白洗浄剤物品で述べた事項は、他の酸化剤組成物を用いた物品（例えばカビ取り剤）に適用できる。従って、例えば、前記の漂白剤組成物用多剤型物品や漂白洗浄剤組成物用多剤型物品を、カビ取り剤用多剤型物品として、また、２剤型スプレー式漂白剤物品や２剤型スプレー式漂白洗浄剤物品を、２剤型スプレー式カビ取り剤物品として用いることができる。
【０１２８】
＜漂白方法＞
本発明の酸化性組成物を漂白目的で使用する場合、（Ａ）成分、（Ｂ）成分、（Ｃ）成分、及び水を含有する漂白用液体組成物を漂白対象物に接触させることが好ましい。漂白用液体組成物は、本発明の酸化性組成物又は本発明の酸化性組成物を濃度調整して調製したものが用いられ、前記のような酸化性組成物用多剤型物品から調製することもできる。なお、この漂白用液体組成物もまた酸化性組成物である。
【０１２９】
漂白対象物が硬質表面である場合、漂白用液体組成物中の（Ａ）成分の含有量は、０．０１質量％以上、更に０．０５質量％以上、更に０．１質量％以上、更に０．１５質量％以上、更に０．５質量％以上、更に０．５５質量％以上、そして、２０質量％以下、更に１０質量％以下、更に５質量％以下、更に３質量％以下、更に１質量％以下、更に０．９質量％以下が好ましい。また、漂白用液体組成物中の（Ｂ）成分の含有量は、０．０１質量％以上、更に０．１質量％以上、更に１質量％以上、更に２質量％以上、そして、５０質量％以下、更に３０質量％以下、更に１０質量％以下、更に５質量％以下が好ましい。また、漂白用液体組成物中の（Ｃ）成分の含有量は、０．０１質量％以上、更に０．１質量％以上、更に１質量％以上、更に１．４質量％以上、そして、５０質量％以下、更に３０質量％以下、更に１０質量％以下、更に５質量％以下、更に２質量％以下が好ましい。また、（Ｄ）成分を用いる場合、漂白用液体組成物中の（Ｄ）成分の含有量は、０．０１質量％以上、更に０．１質量％以上、更に１質量％以上、そして、５０質量％以下、更に３０質量％以下、更に１０質量％以下、更に５質量％以下、更に２質量％以下が好ましい。また、（Ｅ）成分を用いる場合、漂白用液体組成物中の（Ｅ）成分の含有量は、０．１質量％以上、更に１質量％以上、更に４質量％以上、そして、５０質量％以下、更に３０質量％以下、更に１５質量％以下が好ましい。また、（Ｆ）成分を用いる場合、漂白用液体組成物中の（Ｆ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。
【０１３０】
また、漂白用液体組成物のｐＨは、２０℃で、１０以上、更に１１以上、更に１２以上、そして、１３以下、更に１２．５以下であることが好ましい。
【０１３１】
漂白用液体組成物における各成分の含有量とｐＨは、本発明の酸化性組成物の使用時の各成分の含有量及びｐＨとして位置付けることができる。
【０１３２】
本発明は、
（Ａ）成分、（Ｂ）成分、（Ｃ）成分、及び水を混合して酸化性組成物を調製する第１のステップ、
第１のステップで調製された酸化性組成物を漂白対象物に接触させる第２のステップ、を含む漂白方法を提供する。第１のステップで、（Ｄ）成分、（Ｅ）成分、（Ｆ）成分から選ばれる成分を混合することができる。
【０１３３】
また、本発明は、
（Ａ）成分、及び水を含有する第１の液体組成物と、（Ｂ）成分、（Ｃ）成分及び水を含有する第２の液体組成物とを混合して、（Ａ）成分、（Ｂ）成分、（Ｃ）成分、及び水を含有する酸化性組成物を調製する第１のステップ、
第１のステップで調製された酸化性組成物を漂白対象物に接触させる第２のステップ、を含む漂白方法を提供する。第１のステップで用いる第１の液体組成物と第２の液体組成物には、それぞれ、（Ｄ）成分、（Ｅ）成分、（Ｆ）成分から選ばれる成分を適宜混合することができる。
【０１３４】
これらの漂白方法では、酸化性組成物は前記した漂白用液体組成物であってよく、（Ａ）成分〜（Ｃ）成分の好ましい態様、酸化性組成物の好ましい態様、漂白用液体組成物の好ましい態様、第１の液体組成物、第２の液体組成物などは、何れも前述のものが適用できる。また、漂白方法は、カビ取り方法であってよい。
【０１３５】
本発明の酸化性組成物は、カビ取り剤組成物としての用途の他に、風呂・トイレ・台所等の硬質表面の漂白、衣類の漂白、汚れ・匂い原因物質の分解、除菌、パルプの漂白、繊維の精練などにも使用することが出来る。
【０１３６】
＜本発明の態様＞
以下に、本発明の態様を例示する。
【０１３７】
＜１＞次の（Ａ）成分、（Ｂ）成分、及び（Ｃ）成分を含有する酸化性組成物。
（Ａ）成分：前記一般式（Ａ１）で表される化合物及び前記一般式（Ａ２）で表される化合物からなる群から選択される１以上の化合物
（Ｂ）成分：有機過酸前駆体及び有機過酸からなる群から選択される１以上の化合物
（Ｃ）成分：過酸化水素及び水中で過酸化水素を生成する過酸化物からなる群から選択される１以上の化合物
【０１３８】
＜２＞（Ａ）成分の含有量が、組成物中、０．０１質量％以上、更に０．０５質量％以上、更に０．１質量％以上、更に０．２質量％以上、更に０．５質量％以上、更に０．５５質量％以上、また、１０質量％以下、更に５質量％以下、更に２質量％以下、更に１質量％以下である、例えば、０．０１〜１０質量％、更に０．０５〜５質量％、更に０．１〜５質量％、更に０．２〜２質量％、更に０．５〜１質量％、更に０．５５〜１質量％である、前記＜１＞記載の酸化性組成物。
【０１３９】
＜３＞（Ｂ）成分の含有量が、組成物中、０．０１質量％以上、更に０．１質量％以上、更に１質量％以上、更に１．５質量％以上、更に２質量％以上、また、３０質量％以下、更に２０質量％以下、更に１０質量％以下、更に５質量％以下である、例えば、０．０１〜３０質量％、更に０．１〜２０質量％、更に１〜１０質量％、更に１．５〜５質量％、更に２〜５質量％である、前記＜１＞又は＜２＞記載の酸化性組成物。
【０１４０】
＜４＞（Ｃ）成分の含有量が、組成物中、０．０１質量％以上、更に０．１質量％以上、更に０．５質量％以上、更に１質量％以上、更に１．４質量％以上、また、５０質量％以下、更に３０質量％以下、更に２０質量％以下、更に１０質量％以下、更に５質量％以下である、例えば、０．０１〜５０質量％、更に０．１〜３０質量％、更に０．５〜２０質量％、更に１〜１０質量％、更に１〜５質量％、更に１．４〜５質量％である、前記＜１＞〜＜３＞の何れか記載の酸化性組成物。
【０１４１】
＜５＞（Ａ）成分の含有量に対する（Ｂ）成分の含有量の質量比［（Ｂ）／（Ａ）］が、０．０１以上、更に０．１以上、更に０．２以上、更に０．５以上、更に１以上、更に３以上、更に５以上、また、５０以下、更に３０以下、更に２０以下、更に１５以下、更に１０以下、例えば、０．０１〜５０、更に０．１〜３０、更に０．２〜２０、更に０．５〜１５、更に１〜１０、更に３〜１０、更に５〜１０である、前記＜１＞〜＜４＞の何れか記載の酸化性組成物。
【０１４２】
＜６＞（Ａ）成分の含有量に対する（Ｃ）成分の含有量の質量比［（Ｃ）／（Ａ）］が、０．１以上、更に０．２以上、更に０．５以上、更に１以上、更に３以上、更に５以上、また、５０以下、更に３０以下、更に２０以下、更に１５以下、更に１０以下、例えば、０．１〜５０、更に０．２〜３０、更に０．５〜２０、更に１〜１５、更に３〜１０、更に５〜１０である、前記＜１＞〜＜５＞の何れか記載の酸化性組成物。
【０１４３】
＜７＞（Ｂ）成分の含有量に対する（Ｃ）成分の含有量の質量比［（Ｃ）／（Ｂ）］が、０．０１以上、更に０．０５以上、更に０．１以上、更に０．３以上、更に０．５以上、更に０．７以上、また、５０以下、更に３０以下、更に２０以下、更に１０以下、更に５以下、更に２以下、更に１．５以下、例えば、０．０１〜５０、更に０．０５〜３０、更に０．１〜２０、更に０．３〜１０、更に０．５〜５、更に０．７〜２、更に０．７〜１．５である、前記＜１＞〜＜６＞の何れか記載の酸化性組成物。
【０１４４】
＜８＞（Ａ）成分の含有量と（Ｂ）成分の含有量の合計に対する（Ｃ）成分の含有量の質量比、（Ｃ）／［（Ａ）＋（Ｂ）］が、０．０１以上、更に０．０５以上、更に０．１以上、更に０．３以上、更に０．５以上、また、２０以下、更に１０以下、更に５以下、更に３以下、更に１以下、更に０．８以下、例えば、０．０１〜２０、更に０．０５〜１０、更に０．１〜５、更に０．３〜３、更に０．５〜１、更に０．５〜０．８である、前記＜１＞〜＜７＞の何れか記載の酸化性組成物。
【０１４５】
＜９＞更に、（Ｄ）成分として、アルカリ金属の水酸化物、アルカリ金属の炭酸塩、アルカリ土類金属の水酸化物、アルカリ土類金属の炭酸塩、モノエタノールアミン、ジエタノールアミン及びトリエタノールアミンからなる群から選択される１以上のアルカリ剤、更にはアルカリ金属の水酸化物及びアルカリ金属の炭酸塩からなる群から選択される１以上のアルカリ剤、更にはアルカリ金属の水酸化物から選択される１以上のアルカリ剤、更には水酸化ナトリウム、水酸化カリウム、炭酸ナトリウム及び炭酸カリウムからなる群から選択される１以上のアルカリ剤、更には水酸化ナトリウム及び水酸化カリウムからなる群から選択される１以上のアルカリ剤を含有する、前記＜１＞〜＜８＞の何れか記載の酸化性組成物。
【０１４６】
＜１０＞（Ｄ）成分の含有量が、組成物中、０．０１質量％以上、更に０．１質量％以上、更に１質量％以上、更に１．４質量％以上、また、５０質量％以下、更に３０質量％以下、更に２０質量％以下、更に１０質量％以下、更に５質量％以下である、例えば、０．０１〜５０質量％、更に０．１〜３０質量％、更に１〜２０質量％、更に１．４〜１０質量％、更に１．４〜５質量％である、前記＜９＞記載の酸化性組成物。
【０１４７】
＜１１＞（Ａ）成分が、前記一般式（Ａ１１）で表される化合物及び前記一般式（Ａ２１）で表される化合物からなる群から選択される１以上の化合物である、前記＜１＞〜＜１０＞の何れか記載の酸化性組成物。
【０１４８】
＜１２＞更に水を含有し、形態が液体である、前記＜１＞〜＜１１＞の何れか記載の酸化性組成物。
【０１４９】
＜１３＞水の含有量が、組成物中、５０質量％以上、更に６０質量％以上、更に７０質量％以上、更に８０質量％以上、更に９０質量％以上である、前記＜１２＞記載の酸化性組成物。
【０１５０】
＜１４＞（Ｂ）成分が、前記一般式（Ｂ１）で表される有機過酸前駆体である、前記＜１＞〜＜１３＞の何れか記載の酸化性組成物。
【０１５１】
＜１５＞一般式（Ｂ１）におけるＲ1bが、炭素数８以上、更には９以上、更には１０以上、更には１１以上であり、また、炭素数１９以下、更には１５以下、更には１３以下、更には１１以下である、例えば、炭素数８〜１９、更には９〜１５、更には１０〜１３、更には１１である、前記＜１４＞記載の酸化性組成物。
【０１５２】
＜１６＞一般式（Ｂ１）におけるＭの陽イオンが、Ｎａ、Ｋ等のアルカリ金属イオン、アンモニウムイオン、炭素数３以上、１５以下、更に炭素数７以上、１５以下のアルキルアンモニウムイオン、モノエタノールアンモニウムイオン、ジエタノールアンモニウムイオン、トリエタノールアンモニウムイオンであり、更にはアルカリ金属イオンである、前記＜１４＞又は＜１５＞記載の酸化性組成物。
【０１５３】
＜１７＞（Ｂ）成分が、アルカノイル基の炭素数が６以上、２０以下のアルカノイルオキシベンゼンスルホン酸塩及びアルカノイル基の炭素数が６以上、２０以下のアルカノイルオキシベンゼンカルボン酸塩からなる群から選択される１以上の化合物である、更にはアルカノイル基の炭素数が６以上、２０以下のアルカノイルオキシベンゼンスルホン酸塩であり、これらのアルカノイル基の炭素数が、１６以下、更には１４以下、更には１２以下である、前記＜１＞〜＜１６＞の何れか記載の酸化性組成物。
【０１５４】
＜１８＞（Ｃ）成分が、過酸化水素、過炭酸ナトリウム及び過ホウ酸ナトリウムからなる群から選択される１以上の化合物である、更には過酸化水素である、前記＜１＞〜＜１７＞の何れか記載の酸化性組成物。
【０１５５】
＜１９＞更に、（Ｅ）成分として、界面活性剤を含有する、前記＜１＞〜＜１８＞の何れか記載の酸化性組成物。
【０１５６】
＜２０＞（Ｅ）成分として、前記一般式（Ｅ１）で表されるノニオン界面活性剤を含有する、前記＜１９＞記載の酸化性組成物。
【０１５７】
＜２１＞（Ｅ）成分として、前記一般式（Ｅ２）で表される第４級アンモニウム塩を含有する、前記＜１９＞又は＜２０＞記載の酸化性組成物。
【０１５８】
＜２２＞（Ｅ）成分として、ノニオン界面活性剤を含む界面活性剤を含有し、（Ｅ）成分中、ノニオン界面活性剤の割合が５０質量％以上、更に６０質量％以上、更に７０質量％以上、更に８０質量％以上、また、９５質量％以下、更に９０質量％以下、更に８５質量％以下である、例えば、５０〜９５質量％、更に６０〜９０質量％、更に７０〜８５質量％、更に８０〜８５質量％である、前記＜１＞〜＜２１＞の何れか記載の酸化性組成物。
【０１５９】
＜２３＞（Ｅ）成分の含有量が、組成物中、０．１質量％以上、更に１質量％以上、更に４質量％以上、また、５０質量％以下、更に３０質量％以下、更に１５質量％以下である、例えば、０．１〜５０質量％、更には１〜３０質量％、更には４〜１５質量％である、前記＜１９＞〜＜２２＞の何れか記載の酸化性組成物。
【０１６０】
＜２４＞（Ｆ）成分として、キレート剤を含有する、前記＜１＞〜＜２３＞の何れか記載の酸化性組成物。
【０１６１】
＜２５＞（Ｆ）成分の含有量が、組成物中、０．０１質量％以上、更には０．０５質量％以上、更には０．１質量％以上、更には０．１５質量％以上、更には０．２質量％以上、また、３０質量％以下、更には２０質量％以下、更には１０質量％以下、更には５質量％以下、更には３質量％以下、更には１質量％以下、更には０．５質量％以下である、例えば、０．０１〜３０質量％、更には０．０５〜２０質量％、更には０．１〜１０質量％、更には０．１５〜５質量％、更には０．２〜３質量％、更には０．２〜１質量％、更には０．２〜０．５質量％である、前記＜２４＞記載の酸化性組成物。
【０１６２】
＜２６＞形態が液体である、更には水を含有する液体形態であり、２０℃のｐＨが９以上、更に１０以上、更１１以上、そして、１３以下、更に１２．８以下、更に１２．５以下である、例えば、９〜１３、更には１０〜１２．８、更には１１〜１２．５である、前記＜１＞〜＜２５＞の何れか記載の酸化性組成物。
【０１６３】
＜２７＞形態が粉末等、固体形態であり、０．１質量％水溶液の２０℃のｐＨが９以上、更に１０以上、更１１以上、そして、１３以下、更に１２．８以下、更に１２．５以下である、例えば、９〜１３、更には１０〜１２．８、更には１１〜１２．５である、前記＜１＞〜＜２５＞の何れか記載の酸化性組成物。
【０１６４】
＜２８＞漂白用又は漂白洗浄用である、更には硬質表面の漂白用又は漂白洗浄用である、更にはカビ取り用である、更には浴室用カビ取り用である、前記＜１＞〜＜２７＞の何れか記載の酸化性組成物。
【０１６５】
＜２９＞漂白用又は漂白洗浄用である、更には衣料の漂白用又は漂白洗浄用である、前記＜１＞〜＜２７＞の何れか記載の酸化性組成物。
【０１６６】
＜３０＞（Ａ）成分の酸化電位が０．４Ｖ以上、更に０．４５Ｖ以上、更に０．４７Ｖ以上、更に０．５Ｖ以上であり、また、１．０Ｖ以下、更には０．９５Ｖ以下、更には０．８Ｖ以下、更には０．７Ｖ以下、更には０．６５Ｖ以下、更には０．６Ｖ以下である、例えば、０．４〜１．０Ｖ、更には０．４５〜０．９５Ｖ、更には０．４７〜０．８Ｖ、更には０．５〜０．７Ｖ、更には０．５〜０．６５Ｖ、更には０．５〜０．６Ｖである、前記＜１＞〜＜２９＞の何れか記載の酸化性組成物。
【０１６７】
＜３１＞前記＜１＞〜＜３０＞の何れか記載の酸化性組成物をスプレー容器に充填してなる漂白洗浄剤物品。
【０１６８】
＜３２＞前記（Ａ）成分、（Ｂ）成分、（Ｃ）成分及び水から選択される成分を含む剤の組み合わせからなり、（Ａ）成分と（Ｃ）成分が別の剤に配合されている、酸化性組成物用多剤型物品。
【０１６９】
＜３３＞前記（Ａ）成分及び水を含有する第１の液体組成物からなる第１の剤と、（Ｂ）成分、（Ｃ）成分及び水を含有する第２の液体組成物からなる第２の剤との組み合わせを含み、前記第１の剤と第２の剤とを分離した状態で保持し、第１の剤と第２の剤が混合されて、（Ａ）成分、（Ｂ）成分、（Ｃ）成分、及び水を含有する酸化性組成物が調製される、前記＜３２＞記載の酸化性組成物用多剤型物品。
【０１７０】
＜３４＞酸化性組成物が、前記＜１＞〜＜３０＞の何れか記載の酸化性組成物である、前記＜３３＞記載の酸化性組成物用多剤型物品。
【０１７１】
＜３５＞前記（Ａ）成分、及び水を含有する第１の液体組成物と、（Ｂ）成分、（Ｃ）成分及び水を含有する第２の液体組成物とを混合して、（Ａ）成分、（Ｂ）成分、（Ｃ）成分、及び水を含有する酸化性組成物を調製する第１のステップ、
第１のステップで調製された酸化性組成物を漂白対象物に接触させる第２のステップ、を含む漂白方法。
【０１７２】
＜３６＞酸化性組成物が、前記＜１＞〜＜３０＞の何れか記載の酸化性組成物である、前記＜３５＞記載の漂白方法。
【０１７３】
＜３７＞前記＜１＞〜＜３０＞の何れか記載の酸化性組成物の、酸化剤としての使用、あるいは漂白剤又は漂白洗浄剤としての使用、あるいは硬質表面用漂白剤又は漂白洗浄剤としての使用、あるいは衣料用漂白剤又は漂白洗浄剤としての使用、あるいはカビ取り剤としての使用、あるいは浴室用カビ取り剤としての使用。
【実施例】
【０１７４】
表１〜４に示す組成のＡ液及びＢ液を調製し、両者を等量（体積比１：１）混合し、酸化性組成物であるカビ取り剤組成物を得た〔（Ｃ）成分の含有量は過酸化水素としての量である。〕。Ａ液とＢ液は、硫酸及び／又は水酸化ナトリウムを用いてｐＨを調整した。この組成物を使用し、下記のカビ汚れ洗浄試験を実施した。その結果を下記表１〜４に示す。なお、Ａ液とＢ液を等量混合した組成物のｐＨ（２０℃）は、何れも１２．０であった。また、Ａ液とＢ液を等量混合した直後の組成物中の各成分の含有量は、表１〜４中の数値（質量％）の１／２となった。なお、各実施例の（Ａ）成分の含有量が同モル濃度となるように、（Ａ）成分の質量濃度を調整した。
【０１７５】
＜カビ汚れ洗浄試験＞
クラドスポリウム（Cladosporium）属細菌を素焼きタイルに接種し、温度３０℃、湿度１００％ＲＨで６０日間培養したものをカビ発生タイルとし、漂白性能を比較した。
【０１７６】
カビ発生タイルに上記カビ取り剤組成物を２０μｌ滴下し、直径約１ｃｍとし、２５℃で２０分放置後、水洗、風乾した後、色差計（日本電色工業製ＳＥ６０００）を用いて明度（Ｌ）値を測定し、次式により漂白率を算出した。この漂白率の１０％（１０ポイント）以上の相違は、漂白効果に有意な差があることを当業者が認識できるものである。
【０１７７】
【数１】
2014198842.tif 000013
【０１７８】
【表１】
2014198842.tif 000014
【０１７９】
【表２】
2014198842.tif 000015
【０１８０】
【表３】
2014198842.tif 000016
【０１８１】
【表４】
2014198842.tif 000017
【０１８２】
本発明品１〜３８から、（Ｂ）成分と（Ｃ）成分の併用系に（Ａ）成分を用いることで、漂白率が大幅に向上することがわかった。
【０１８３】
表５に、本発明の酸化性組成物の処方例を示す。表５中のポリアルキルグルコシドは、一般式（Ｅ１−２）中、Ｒ1e'が炭素数１２の直鎖第１級アルキル基、Ｇがグルコースに由来する残基、ｘが０、ｙが１．３の化合物である。また、表５のＡ液はｐＨ（２０℃）を１１〜１３．８に、Ｂ液はｐＨ（２０℃）を２〜４に、それぞれ調整する。
【０１８４】
【表５】
2014198842.tif 000018